(57)【特許請求の範囲】
【請求項１】
飼育室と採卵室に分割され、前記飼育室から採卵室への飼育水の流れを制御することにより、成魚のいる前記飼育室から前記採卵室に卵を分離する方式の閉鎖型飼育水槽であって、稚魚は通過できるが成魚は通過できない可動メッシュを前記飼育室内に設け、同可動メッシュの変位により前記飼育室における成魚用飼育空間と、前記採卵室につらなる稚魚用飼育空間との大きさを調整可能に構成したことを特徴とする継代飼育水槽。
【請求項２】
前記可動メッシュの周囲をシリコンゴムなどの伸縮性材料で覆い、前記可動メッシュを前記飼育室内で移動させることによって同飼育室の内面を清掃し、苔などの付着を抑える構成としたことを特徴とする請求項１に記載の継代飼育水槽。
【請求項３】
前記採卵室で稚魚を孵化させ、同採卵室から稚魚を前記可動メッシュで仕切られた前記飼育室に移動させた後、前記採卵室を一時的なウエイストフィルタとして使用することで、稚魚の流出を防ぎつつ飼育室内の残餌の除去を行なうことを特徴とする請求項１又は２に記載の継代飼育水槽による継代飼育方法。
【発明の詳細な説明】
【０００１】
【発明の属する技術分野】
本発明は宇宙環境での小型魚類の継代飼育実験に用いて好適な閉鎖型飼育水槽において、メダカ、ゼブラフィッシュ等小型魚類の成魚を産卵させ、その卵から孵化した稚魚を同一の水槽内で成魚まで飼育するための継代飼育水槽に関する。
【０００２】
【従来の技術】
継代飼育とは、成魚が産卵した卵を孵化させ、その稚魚を産卵可能な成魚まで成長させることを言う。しかしながら、成魚は卵や稚魚を捕食することもあって成魚が産卵するのを単に放置しているだけでは、確実に次世代を得ることは困難である。この為に卵、稚魚の成魚からの分離、選別、また成魚の水槽からの取出しなどの操作が必要とされる。
【０００３】
従来の小型魚類を使用した宇宙実験はその実験期間が最大でも２週間程度であり、継代飼育機能は要求されていなかった。なお、地上での継代飼育に際しては通常の開放型水槽を使用して、手作業で上記のような各種の操作が可能であり、問題とはならなかった。従って、従来技術として継代飼育水槽の実例はないが、参考として図６に宇宙実験用メダカ飼育水槽の実例を示す。図６に示す水槽では上記の意味での継代飼育が可能なわけではないが、成魚が産卵し、孵化した稚魚が同じ水槽内で混合飼育できるようにはなっている。図６に矢印で示したように飼育水は入口側ＱＤ（クイックディスコネクタ）１０３から水槽内に入り、ディフューザ１０４から水槽内に拡散される。
【０００４】
飼育水は成魚用メッシュ１０１、卵捕捉メッシュ１０２を経由して水槽左下部の飼育水出口から出口側ＱＤ１０５に流れるようになっている。なお、１０６は給餌装置、１０７は給餌装置操作用の給餌ノブで、給餌ノブ１０７を操作することによって給餌装置１０６から水槽内の成魚に定量ずつ給餌が行なわれるようになっている。１０８は水槽全体を脱着するためのプラグである。
成魚用メッシュ１０１は成魚は通過できないが、卵は通過できるメッシュサイズであり、また卵捕捉メッシュ１０２は卵を捕捉できるメッシュサイズになっている。従って、成魚が産卵した卵は卵捕捉メッシュ１０２により捕捉され、卵を成魚から隔離することができる。
【０００５】
この卵捕捉メッシュ１０２上で孵化した稚魚は成魚用メッシュ１０１を通過して成魚側に移動できる。従って、一応は次世代の稚魚までを飼育することは可能ではあるが、卵、稚魚の選別、稚魚／成魚の分離ができるようにはなっていないため、本来の意味での継代飼育水槽ということは出来ない。本来の意味での継代飼育水槽に必要な機能は、以下のとおりである。
【０００６】
（１）閉鎖型水槽内に成魚、卵、稚魚の各ステージの試料を維持できること。
【０００７】
（２）各ステージの試料を必要に応じて水槽から取出し（成魚の場合）、または水槽下流に除去（卵、稚魚の場合）できること。
【０００８】
（３）各ステージでの残餌、不要卵などのウェイスト（廃棄物）を水槽下流に除去できること。
【０００９】
（４）水槽内の流速を各ステージに適したものとすることができること。特に卵、孵化直後の稚魚は止水状態で維持できること。
【００１０】
（５）飼育水の温度、溶存酸素、水質を適切な範囲に維持できること。
【００１１】
（６）各ステージに適した給餌が可能であること。
【００１２】
上記の機能のうち、（５）は通常水槽外部に飼育水の循環装置を設けて実現できる。また、（６）の給餌機能は水槽に対して外部から付加されるものである。従って、水槽そのものに要求される継代飼育のための機能としては（５）、（６）は除外でき、継代飼育水槽としては上記の（１）から（４）の機能を実現することが必要ということができる。
【００１３】
【発明が解決しようとする課題】
本発明は、閉鎖型水槽内に成魚、稚魚、卵の各ステージの試料を維持して飼育できるとともに、これら試料や残餌を必要に応じて水槽から取り出し可能とし、また、成魚、稚魚、卵に対する飼育水の流れをそれぞれ適正なものにできるようにした継代飼育水槽を提供することを課題としている。
【００１４】
【課題を解決するための手段】
本発明は前記課題を解決するため、飼育室と採卵室に分割され、前記飼育室から採卵室への飼育水の流れを制御することにより、成魚のいる前記飼育室から前記採卵室に卵を分離する方式の閉鎖型飼育水槽であって、稚魚は通過できるが成魚は通過できない可動メッシュを前記飼育室内に設け、同可動メッシュの変位により前記飼育室における成魚用飼育空間と、前記採卵室につらなる稚魚用飼育空間との大きさを調整可能に構成した継代飼育水槽を提供する。
【００１５】
本発明の継代飼育水槽によれば、稚魚は通過できるが成魚は通過できない可動メッシュが飼育室内に設けられていて、これを変位させることによって、飼育室内に成魚用飼育空間と稚魚用飼育空間を所望の大きさに仕切って形成させることができる。従って、採卵室内への卵の分離と稚魚の孵化、飼育室内での稚魚の飼育を、成魚による捕食の恐れなしに行ない、安定した飼育ができる。
【００１６】
本発明の継代飼育水槽において、飼育室に設けられた可動メッシュの周囲をシリコンゴムなどの伸縮性材料で覆った構成にすると、この可動メッシュを飼育室内で移動させることによって飼育室内の内面を清掃することができるので、飼育室内に苔の付着などが生ずるのを抑えて飼育室を清潔に保つことができることとなって好ましい。
【００１７】
本発明の継代飼育水槽を用いると、採卵室内に分離された卵を採卵室で孵化させ、孵化した稚魚を採卵室から、可動メッシュで成魚から仕切られた飼育室に移動させたのち、採卵室を一時的なウェイストフィルタとして飼育水を流すことによって稚魚の流出を防ぎつつ飼育室内の残餌の除去を行なって稚魚の飼育を行なうことができる。
【００１８】
【発明の実施の形態】
以下、本発明を図示した実施形態に基づいて具体的に説明する。
図１に本発明の実施の一形態による継代飼育水槽を示している。本飼育水槽２０は一体化された飼育室１と採卵室３を有し、飼育室１、採卵室３ともに飼育水出口側はウェイストフィルタ１１に接続されている。飼育室１内には、整流用固定メッシュ６、成魚用可動メッシュ７、採卵室入口扉８が設けられている。整流用固定メッシュ６は入口側ＱＤ１２との間に整流用前室５を形成し、これは、入口側ＱＤ１２から注入される飼育水を飼育室１に均一に流すためのものである。
【００１９】
一方、成魚用可動メッシュ７はメダカ、セブラフィッシュなど小型魚類の成魚は通過できないが、体長数ミリ程度の稚魚は通過できるようにメッシュサイズを選定した可動型のメッシュであり、飼育室１内で前後方向（図の左右方向）の位置を動かすことができるようにしている。採卵室入口扉８は、通常時はウェイストフィルタ１１に直接流れていく飼育水を採卵室３を経由して流す場合にヒンジ８−１のまわりに作動させて飼育水が採卵室３に流れるように流路を切替えるためのものである。
【００２０】
採卵室３には採卵室出口メッシュ９が設けられ、採取した卵を捕捉できるようになっている。なお、この採卵室出口メッシュ９はヒンジ９−１のまわりに開放することにより、捕捉した卵を必要時には除去することが可能なようになっている。なお、飼育室１、採卵室３にはそれぞれ飼育室アクセスポート２、採卵室アクセスポート４が設けられ、内部試料の取出しなどが可能となっている。ウェイストフィルタ１１で異物を除去された飼育水は出口側ＱＤ１３を経由して水槽外部に還流される。
【００２１】
図２には本飼育水槽２０の主要な機能要素である成魚用可動メッシュ７の構造例を示してある。成魚用可動メッシュ７はメッシュ１４、その周りに設けられたシリコンゴム１５、金属製のメッシュ支持台１６から構成され、水槽外部の磁石１８により、金属製のメッシュ支持台１６を水槽２０内で移動させることができる。
【００２２】
図１の実施形態による継代飼育水槽を構成する各要素の構造と作用の詳細を以下に説明する。飼育水は入口側ＱＤ１２から整流用固定メッシュ６を経由して飼育室１に注入される。この整流用固定メッシュ６は稚魚が通過できないメッシュサイズになっており、稚魚を飼育室１内で飼育する場合の隔離機能も有している。成魚用可動メッシュ７は飼育室１において図のａ位置からｂ位置まで動かすことができるように設けられている。この成魚用可動メッシュ７は成魚は通過できないが、卵、残餌及び体長数ミリ程度の稚魚は通過できるようなサイズに選定されている。飼育室１で成魚を飼育する場合、可動メッシュ７は位置ａにあり、成魚飼育スペースは最大になっている。
【００２３】
また、採卵室３は、採卵室入口扉８で閉じられており、飼育水及び成魚の残餌などは飼育室１からウェイストフィルタ１１に直接流出する。この成魚用可動メッシュ７は、成魚がウェイストフィルタ１１へ引き込まれないためにも必要なものである。また、成魚用可動メッシュ７は、適宜の時間間隔で左右に移動させることにより、水槽内面の清掃機能も有している。
【００２４】
飼育水槽の構造体を透明な部材を主体として構成することにより、飼育室１、採卵室３共に、その内部の状況を観察可能にすることができる。飼育室１内での成魚の産卵状況をＣＣＤカメラ又は目視で監視し、産卵したことを確認できれば、採卵室入口扉８を開けて飼育水及び産卵した卵を採卵室３に流し入れる。
【００２５】
採卵室３には採卵室出口メッシュ９が設置されており、卵はこのメッシュ９に捕捉される。飼育室１から採卵室３への卵の捕捉を確認できれば、採卵室入口扉８を閉じて、採取した卵を隔離する。この後、卵は採卵室３内に止水状態で維持することになるが、必要に応じて採卵室入口扉８を開閉することにより、採卵室３内の水替えも可能である。なお、採取した卵に異常があった場合には、採卵室入口扉８、採卵室出口メッシュ９を同時に開けることにより、異常卵を除去することができる。採卵室３内で孵化した稚魚はしばらく採卵室３内で飼育する。
【００２６】
また、必要に応じて採卵室アクセスポート４から給餌を行なうこともできる。充分遊泳が可能となれば、採卵室入口扉８を開けて稚魚を飼育室１側に開放する。この時、成魚用可動メッシュ７をａ位置とｂ位置の中間の適当な場所に動かすことにより、飼育室１内に成魚用可動メッシュ７で仕切って稚魚と成魚の共存が可能となる。稚魚は成魚用可動メッシュ７を通過できるが、成魚がいるほうには行かない習性があるからである。また、成魚を取出して飼育室１全室を稚魚飼育に使用することも可能である。
【００２７】
この場合には、成魚用可動メッシュ７をｂ位置に動かし、飼育室アクセスポート２から成魚を取出す。いずれの場合も飼育室１では最終的には稚魚のみの飼育となり、成魚用可動メッシュ７は元のａ位置に戻す。なお、飼育室１内で稚魚飼育中は稚魚の流出を避けるため、飼育水は採卵室３の採卵室出口メッシュ９を経由して流し、残餌は採卵室出口メッシュ９で一時的に捕捉される。また、必要に応じて採卵室出口メッシュ９を短時間開放し採卵室３の残餌除去を行なう。この採卵室出口メッシュ９の開閉時に採卵室３内に稚魚が存在する可能性はあるが、大部分の稚魚は飼育室１に存在するので、採卵室出口メッシュ９を開閉しても稚魚流出の可能性は少ない。
【００２８】
なお、稚魚のうちの一部を除去するためには、採卵室出口メッシュ９を長時間開放すればよい。特定の稚魚を除去することはできないが、このことにより飼育数を減らすことはできる。最終的には、稚魚が成長し成魚用可動メッシュ７を通過できなくなった段階で採卵室入口扉８は閉じて飼育水を飼育室１から直接ウェイストフィルタ１１に流すことにする。このことにより、次世代の成魚を飼育している状態となる。
【００２９】
次に図２に示す成魚用可動メッシュの詳細を説明する。メッシュ１４はメッシュ支持台１６と上面及び側面のシリコンゴム１５により固定されている。メッシュ支持台１６の下面にガイド用の突起部１６−１があり、この突起部１６−１が水槽底面１７の溝１７−１をスライドすることにより、成魚用可動メッシュ７をスムーズに移動させることができる。なお、図２では水槽の液体シール部をできるだけ少なくするために磁石１８を使用して水槽外部から成魚用可動メッシュ７を非接触で動かす方式としているが、メッシュ支持台１６を外部から直接機械的に動かしてもよい。
【００３０】
以上の構成をもつ本実施形態の継代飼育水槽により、次のとおりひとつの飼育水槽内で小型魚類の継代飼育が可能となる。
図３に成魚飼育及び採卵時の操作を（１）〜（４）の４段階で示してあり、各段階（１）〜（４）は次のとおりである。
【００３１】
（１）成魚飼育
通常の成魚飼育時の状態である。成魚は飼育室アクセスポート２から飼育室１に収納される。成魚用可動メッシュ７はａ位置にあり、採卵室入口扉８は閉じており、飼育室１からの飼育水と残餌などはウェイストフィルタ１１に直接流れている。
【００３２】
（２）採卵開始
成魚が産卵すれば、卵採取のために、採卵室入口扉８を開放し、飼育水を採卵室３経由でウェイストフィルタ１１に流す。採卵室出口メッシュ９は閉じているため、卵はこの採卵室出口メッシュ９に捕捉される。
【００３３】
（３）採卵終了
採卵が終了すれば、採卵室入口扉８を閉じる。この後、採取した卵は採卵室３内に止水状態で維持する。水替えが必要な場合は、採卵室入口扉８を開けて飼育水を採卵室３へ流す。
【００３４】
（４）採取卵除去
採取した卵に異常があり孵化しない場合には、採卵室入口扉８と採卵室出口メッシュ９を開放して卵を除去する。なお、採取した卵の一部のみを除去したい場合には、採卵室アクセスポート４から異常卵のみをスポイトなどを使用して除去する。
図５に稚魚飼育時の操作を（５）〜（８）の４段階で示してあり、各段階（５）〜（８）は次のとおりである。
【００３５】
（５）孵化直後の稚魚飼育
採卵室３内で孵化した稚魚は卵と同様に採卵室３内において止水状態で飼育する。餌の摂取が可能であれば、採卵室アクセスポート４から給餌することも可能である。また、必要に応じて、採卵室入口扉８を開けることにより、卵維持のときと同じく採卵室３の水替えが可能である。
【００３６】
（６）稚魚／成魚の飼育室内での混合飼育
稚魚がある程度成長した段階で、成魚用可動メッシュ７をａ位置とｂ位置の中間に移動して飼育室１の一部を稚魚に開放する。このため、採卵室入口扉８は開放し、採卵室３経由で飼育水を流す。飼育水流量は稚魚に合せて成魚のみのときよりも小さい値に設定する。採卵室３から稚魚は飼育室１側に拡散し、より広い飼育環境を稚魚に提供することができる。この状態では残餌は採卵室出口メッシュ９で捕捉されウェイストフィルタ１１には流れないが、飼育水下流で残餌がある程度堆積しても飼育室１内水質への影響は少ないと考えられるので、この状態で稚魚と成魚を飼育室１内で混合飼育することができる。なお、一部稚魚の流出の可能性はあるが、必要に応じて採卵室出口メッシュ９を開放して堆積した残餌を除去することもできる。また、同じ操作により、意識的に一部の稚魚を除去することも可能である。
【００３７】
（７）成魚取出し
稚魚が成長し、次世代が確保された段階で、元の成魚を取出す。このため、成魚用可動メッシュ７をｂ位置に移動させ、成魚を飼育室アクセスポート２下部に追い込む。飼育室アクセスポート２からスポイトなどにより成魚を取出す。成魚を取出した後は成魚用可動メッシュ７はａ位置に戻す。このため、成魚取出しは稚魚が成魚用可動メッシュ７を通過できる時期に実施することが必要である。なお、（６）の混合飼育を飛ばして、成魚を取出してから、稚魚を採卵室３から飼育室１に移してもよい。
【００３８】
（８）稚魚のみの飼育
成魚を取出した後、飼育室１の全体で稚魚を飼育する。稚魚が小さい間は（６）の混合飼育と同じく採卵室入口扉８は開放し、採卵室出口メッシュ９を経由して飼育水を流す。稚魚が成魚用可動メッシュ７を通過できなくなるほど成長すれば、採卵室入口扉８を閉じて、飼育水を飼育室１から直接ウェイストフィルタ１１に流す。この状態で次世代の成魚飼育状態となる。
【００３９】
次に、宇宙実験用飼育装置に対して、以上説明した継代飼育水槽を適用した例を図５に示してある。本例では、２つの飼育水槽２０Ａ，２０Ｂを共通の飼育水循環ユニット２１に接続した場合を示しているが、ひとつの飼育水循環ユニットに何個の飼育水槽を接続するかは、装置の規模に応じて変わるものである。飼育水循環ユニット２１は飼育水槽２０Ａ、２０ＢとＱＤ３１〜３４により接続され、脱着可能としている。実験中の着脱が不要な場合はＱＤを使用せず通常の継手で接続してよい。
【００４０】
飼育水循環ユニット２１は飼育水槽２０Ａ、２０Ｂに循環させる飼育水の流量、温度、水質を所定の範囲で制御するものであり、飼育水ポンプ２２Ａ，２２Ｂ、飼育水バイパス弁２３Ａ，２３Ｂ、人工肺２４、水処理槽２５、熱交換器２６、アキュムレータ２７、アキュムレータ遮断弁２８、温度、圧力、流量センサ及びそれらを結合する配管継手類から構成される。
【００４１】
人工肺２４は飼育水の溶存酸素を維持するためのものであり、水処理槽２５は生物濾過により、飼育水中のアンモニアを除去するためのものである。また、熱交換器２６は飼育水の温度を生物飼育に適した範囲に維持するためのものである。これらの装置により、温度、水質を維持された飼育水は飼育水ポンプ２２Ａ，２２Ｂにより各水槽２０Ａ、２０Ｂに必要な流量が送り込まれる。水槽を取り外した場合や稚魚飼育時に流量を落とした場合でも、全体の流量を保つため飼育水バイパス弁２３Ａ，２３Ｂが設けられている。全体の流量を一定に保つのは、温度制御及び水質維持を安定させるためである。
【００４２】
この飼育水循環系統は閉鎖系となっており、人工肺２４からの水分蒸発や飼育水槽２０Ａ、２０Ｂの操作時の飼育水の流出などによる飼育水量の減少を補い、飼育水内圧が負圧にならないようにする必要がある。このため、飼育水循環ユニット２１内にはアキュムレータ２７が設けられている。アキュムレータ２７には外部気圧とバランスしたダイヤフラムが装備されており、飼育水の基準圧を変化させながら、必要な補水を行なうことにより、飼育水内圧が負圧になることを避けることができる。
【００４３】
また、魚類の飼育には通常昼夜サイクルが要求されるため、各飼育水槽２０Ａ、２０Ｂには飼育室照明２９Ａ，２９Ｂが装備されている。制御装置３０は飼育水循環ユニット２１内のポンプ２２Ａ、２２Ｂ、飼育水バイパス弁２３Ａ、２３Ｂ、アキュムレータ遮断弁２８、熱交換器２６などの制御、飼育室照明２９Ａ，２９Ｂの制御、及び飼育水槽２０Ａ，２０Ｂ内の各機器の制御を行なうためのものである。
【００４４】
以上、本発明による継代飼育水槽を実施の一形態に基づいて具体的に説明したが、本発明はこの実施形態に限定されるものではなく、特許請求の範囲に示す本発明の範囲内で種々の変形、変更を加えてよいことはいうまでもない。
例えば、成魚用可動メッシュ７の構造は、図２に示すものに限らず、要は、飼育室内を移動して飼育室内に成魚用と稚魚用の飼育室を形成しうるものであれば、適宜の構造のものであってよい。
また、図５に示した飼育装置では、２つの飼育水槽２０Ａ、２０Ｂを使っているが、飼育水槽の数は３個以上であってもよい。
【００４５】
【発明の効果】
以上説明したように、本発明は、飼育室と採卵室に分割され、前記飼育室から採卵室への飼育水の流れを制御することにより、成魚のいる前記飼育室から前記採卵室に卵を分離する方式の閉鎖型飼育水槽であって、稚魚は通過できるが成魚は通過できない可動メッシュを前記飼育室内に設け、同可動メッシュの変位により前記飼育室における成魚用飼育空間と、前記採卵室につらなる稚魚用飼育空間との大きさを調整可能に構成した継代飼育水槽を提供する。
【００４６】
本発明の継代飼育水槽によれば、稚魚は通過できるが成魚は通過できない可動メッシュが飼育室内に設けられていて、これを変位させることによって、飼育室内に成魚用飼育空間と稚魚用飼育空間を所望の大きさに仕切って形成させることができる。従って、採卵室内への卵の分離と稚魚の孵化、飼育室内での稚魚の飼育を、成魚による捕食の恐れなしに行なうことができる。
【００４７】
本発明の継代飼育水槽において、飼育室内に設けられた可動メッシュの周囲をシリコンゴムなどの伸縮性材料で覆った構造にしたものでは、この可動メッシュを飼育室内で移動させることによって飼育室内の内面を清掃することができるので、飼育室内に苔の付着などが生ずるのを抑えて、飼育室を清潔に保つことができる。
【００４８】
本発明の継代飼育水槽を用いると、採卵室内に分離された卵をそこで孵化させ、孵化した稚魚を、可動メッシュで成魚から仕切られた飼育室に移動させたのち、採卵室を一時的なウエイストフィルタとして飼育水を流すことによって稚魚の流出を防ぎつつ飼育室内の残餌の除去を行ないながら稚魚の飼育を行なうことができる。
【図面の簡単な説明】
【図１】  本発明の実施の一形態による継代飼育水槽を示す図面で、（イ）は横断面図、（ロ）は（イ）図におけるＡ−Ａ’線に沿う断面図。
【図２】  図１の継代飼育水槽に用いられている成魚用可動メッシュの構造を示す斜視図。
【図３】  図１の継代飼育水槽による成魚飼育及び採卵時の操作を（１）〜（４）の４段階で示した説明図。
【図４】  図１の継代飼育水槽による稚魚飼育時の操作を（５）〜（８）の４段階で示した説明図。
【図５】  図１の継代飼育水槽を用いた宇宙実験用飼育装置の構成を示す説明図。
【図６】  従来の宇宙実験用メダカ飼育水槽の実例を示す断面図。
【符号の説明】
１        飼育室
２        飼育室アクセスポート
３        採卵室
４        採卵室アクセスポート
５        整流用前室
６        整流用固定メッシュ
７        成魚用可動メッシュ
８        採卵室入口扉
８−１    ヒンジ
９        採卵室出口メッシュ
９−１    ヒンジ
１０      飼育室出口
１１      ウェイストフィルタ
１２      入口側ＱＤ
１３      出口側ＱＤ
１４      メッシュ
１５      シリコンゴム
１６      メッシュ支持台
１６−１  突起部
１７      水槽底面
１７−１  溝
１８      磁石
２０      飼育水槽
２１      飼育水循環ユニット
２２      飼育水ポンプ
２３      飼育水バイパス弁
２４      人工肺
２５      水処理槽
２６      熱交換器
２７      アキュムレータ
２８      アキュムレータ遮断弁
２９      飼育室照明
３０      制御装置
３１      ＱＤ
３２      ＱＤ
３３      ＱＤ
３４      ＱＤ
１０１    制御用メッシュ
１０２    卵捕捉メッシュ
１０３    入口側ＱＤ
１０４    ディフューザ
１０５    出口側ＱＤ
１０６    給餌装置
１０７    給餌ノブ
１０８    プラグ
【図１】
0003686914.tif 000002
【図２】
0003686914.tif 000003
【図３】
0003686914.tif 000004
【図４】
0003686914.tif 000005
【図５】
0003686914.tif 000006
【図６】
0003686914.tif 000007